(57)【要約】【課題】  カード差しがネスティング状態の積み重ねに支障になることがないと共に、カードの出し入れの操作を容易に行なうことができる運搬用容器を提供する。【解決手段】  上面が開口する容器本体１の上端外周にフランジ２を形成し、容器本体１の側壁３の外面の下部に支持脚４を突出して設けると共に、容器本体１の内面側及び上方へ開口するポケット部５を側壁３の外面の上部に膨出させて設け、上段の容器本体１の支持脚４の下端が下段の容器本体１のフランジ２上に載置されるスタッキング状態と、上段の容器本体１の支持脚４が下段の容器本体１のポケット部５内に差し込まれるネスティング状態のいずれかで、複数の容器本体１を上下に複数段重ねることができるようにした運搬用容器に関する。容器本体１に設けられる上記ポケット部５の少なくとも一つにおいて、その外面にカード差し部６を設ける。【選択図】  図４
2005067620.tif 000002
【特許請求の範囲】
【請求項１】
上面が開口する容器本体の上端外周にフランジを形成し、容器本体の側壁の外面の下部に支持脚を突出して設けると共に、容器本体の内面側及び上方へ開口するポケット部を側壁の外面の上部に膨出させて設け、上段の容器本体の支持脚の下端が下段の容器本体のフランジ上に載置されるスタッキング状態と、上段の容器本体の支持脚が下段の容器本体のポケット部内に差し込まれるネスティング状態のいずれかで、容器本体を上下に複数段重ねることができるようにした運搬用容器において、容器本体に設けられる上記ポケット部の少なくとも一つにおいて、その外面にカード差し部を設けて成ることを特徴とする運搬用容器。
【請求項２】
ポケット部の外面の両側端部に内方へ、下端部に上方へそれぞれ張り出して鍔片を設けると共に各鍔片とポケット部の外面との間に上方へ開口するカード差し込み溝を設けることによって、ポケット部の外面にカード差し部を形成して成ることを特徴とする請求項１に記載の運搬用容器。
【発明の詳細な説明】
【技術分野】
【０００１】
本発明は、物を収納した状態ではスタッキング状態で積み重ねることができ、また物を収納しない状態ではネスティング状態で嵩低く積み重ねることができるようにした運搬用容器に関するものである。
【背景技術】
【０００２】
容器本体の側壁に支持脚及びポケット部を設けて形成される運搬用容器が従来から種々提供されている（例えば特許文献１等参照）。この運搬用容器は、容器本体内に物を収納しているときには、上段の容器本体の支持脚の下端が下段の容器本体の上端縁に載置されるように重ねることによって、スタッキング状態で積み重ねることができ、また容器本体内に物を収納していないときには、上段の容器本体の支持脚が下段の容器本体のポケット部内に差し込まれるように重ねることによって、ネスティング状態で嵩低く積み重ねることができるものである。
【０００３】
このような運搬用容器において、例えば収納した内容物などを表示するために、容器本体の側壁の外面にカード差しを設けることも行なわれている（例えば特許文献２等参照）。
【特許文献１】特開２００２−３０８２７５号公報
【特許文献２】特開２００１−１３０５７９号公報
【発明の開示】
【発明が解決しようとする課題】
【０００４】
しかし、特許文献１のようなスタッキング・ネスティングで積み重ねることができる運搬用容器において、容器本体の側壁にカード差しを設ける場合、運搬用容器をネスティング状態で積み重ねる際に側壁の外面に突出しているこのカード差しが支障になるおそれがある。
【０００５】
また容器本体の側壁には上記のように支持脚やポケット部が突出して設けられており、さらに容器本体の上端外周にはフランジが張り出して形成されている。従って、カード差しにカードを差し込んだり、抜き出したりする操作の際に、カード差しの周囲において突出しているこれらのものが邪魔になり、カード差しへのカードの出し入れの操作において使い勝手に問題を有するものであった。
【０００６】
本発明は上記の点に鑑みてなされたものであり、カード差しがネスティング状態の積み重ねに支障になることがないと共に、カードの出し入れの操作を容易に行なうことができる運搬用容器を提供することを目的とするものである。
【課題を解決するための手段】
【０００７】
本発明の請求項１に係る運搬用容器は、上面が開口する容器本体１の上端外周にフランジ２を形成し、容器本体１の側壁３の外面の下部に支持脚４を突出して設けると共に、容器本体１の内面側及び上方へ開口するポケット部５を側壁３の外面の上部に膨出させて設け、上段の容器本体１の支持脚４の下端が下段の容器本体１のフランジ２上に載置されるスタッキング状態と、上段の容器本体１の支持脚４が下段の容器本体１のポケット部５内に差し込まれるネスティング状態のいずれかで、複数の容器本体１を上下に複数段重ねることができるようにした運搬用容器において、容器本体１に設けられる上記ポケット部５の少なくとも一つにおいて、その外面にカード差し部６を設けて成ることを特徴とするものである。
【０００８】
この発明によれば、ネスティング状態で積み重ねる際に支持脚４が差し込まれるポケット部５を利用してカード差し部６を形成しているものであり、カード差し部６がネスティング状態の積み重ねに支障になることはない。しかもポケット部５は容器本体１の側壁３の外面から膨出しているものであり、ポケット部５の外面に設けたカード差し部６へのカードの出し入れをフランジ２などが邪魔になることなく容易に行なうことができる。
【０００９】
また請求項２の発明は、請求項１において、ポケット部５の外面の両側端部に内方へ、下端部に上方へそれぞれ張り出して鍔片７を設けると共に各鍔片７とポケット部５の外面との間に上方へ開口するカード差し込み溝８を設けることによって、ポケット部５の外面にカード差し部６を形成して成ることを特徴とするものである。
【００１０】
この発明によれば、カード差し部６に差し込むカードの両側端縁と下端縁をカード差し込み溝８に保持することができ、カード保持を確実に行なうことができると共に、カード差し部６のカード差し溝８は上方へ開口しているので、容器本体１を洗浄して上下裏返した状態で乾燥するにあたって、カード差し溝８の開口は下方へ向くことになり、カード差し溝８に水が溜まるようなことがなくなる。
【発明の効果】
【００１１】
本発明によれば、ネスティング状態で積み重ねる際に支持脚が差し込まれるポケット部を利用してカード差し部を形成しているので、カード差し部がネスティング状態の積み重ねに支障になることがないものであり、しかもポケット部は容器本体の側壁の外面から膨出しているので、ポケット部の外面に設けたカード差し部へのカードの出し入れをフランジなどが邪魔になることなく容易に行なうことができるものである。
【発明を実施するための最良の形態】
【００１２】
以下、本発明を実施するための最良の形態を説明する。
【００１３】
容器本体１は熱可塑性樹脂の射出成形等によって矩形の底板１２と四周の側壁３からなる一体物として形成されるものであり、側壁３が上方へ向けて外方にやや広がるように傾斜した上面開口の略直方体形状に形成してある。容器本体１の側壁３の上端の外周には全長に亘ってフランジ２が外方へ張り出して設けてあり、容器本体１の上部の外周にはフランジ２と平行に下段フランジ１３が全周に亘って設けてある。容器本体１の側壁３は対向する一対の長側壁３ａ，３ｂと対向する一対の短側壁３ｃ，３ｄとからなるものであり、各長側壁３ａ，３ｂと短側壁３ｃ，３ｄには支持脚４とポケット部５が設けてある。
【００１４】
支持脚４は各長側壁３ａ，３ｂと短側壁３ｃ，３ｄの外面の下部に外方へ突出させて左右一対ずつ設けてある。そして図１（ａ）（ｂ）に示すように、長側壁３ａ，３ｂに設けられる一対の支持脚４は、一方が幅広な支持脚４ａ、他方が幅狭な支持脚４ｂとして形成してある。また図２（ａ）（ｂ）に示すように、短側壁３ｃ、３ｄに設けられる各支持脚４は支持脚４ａと支持脚４ｂの中間の幅の支持脚４ｃとして形成してある。これらの各支持脚４の直上位置においてフランジ２の上面には、図３に示すように位置決め凹部１４が凹設してある。
【００１５】
一方、ポケット部５は各長側壁３ａ，３ｂと短側壁３ｃ，３ｄの外面の上部に外方へ膨出させて左右一対ずつ設けてある。ポケット部５は容器本体１の内方へ開口すると共にフランジ２の上面において上方へ開口するように形成してある。そして図１（ａ）（ｂ）に示すように、長側壁３ａ，３ｂに設けられる一対のポケット部５は、一方が幅広なポケット部５ａ、他方が幅狭なポケット部５ｂとして形成してあり、幅広なポケット部５ａの開口幅寸法は幅広な支持脚４ａの幅寸法とほぼ等しい寸法に、幅狭なポケット部５ｂの開口幅寸法は幅狭な支持脚４ｂの幅寸法とほぼ等しい寸法に形成してある。また図２（ａ）（ｂ）に示すように、短側壁３ｃ、３ｄに設けられる各ポケット部５はポケット部５ａとポケット部５ｂの中間の幅のポケット部５ｃとして形成してあり、このポケット部５ｃの開口幅寸法は支持脚４ｃの幅寸法とほぼ等しい寸法に形成してある。
【００１６】
そして長側壁３ａ，３ｂにおいて、ポケット部５ａは支持脚４ｂの近傍に、ポケット部５ｂは支持脚４ａの近傍にそれぞれ設けてあり、長側壁３ａ，３ｂの支持脚４とポケット部５の配置関係は、底板１２の中央を中心として、一方の長側壁３ａの支持脚４ａと支持脚４ｂがそれぞれ他方の長側壁３ｂのポケット部５ａとポケット部５ｂに点対称位置になり、他方の長側壁３ｂの支持脚４ａと支持脚４ｂがそれぞれ一方の長側壁３ａのポケット部５ａとポケット部５ｂと点対称位置になるように、設定してある。
【００１７】
また短側壁３ｃにおいて各ポケット部５ｃは各支持脚４ｃの外側の近傍に、短側壁３ｄにおいて各ポケット部５ｃは各支持脚４ｃの内側の近傍にそれぞれ設けてあり、短側壁３ｃ、３ｄの支持脚４とポケット部５の配置関係は、一方の短側壁３ｃの各支持脚４ｃがそれぞれ他方の短側壁３ｄの各ポケット部５ｃと点対称位置になり、他方の短側壁３ｄの各支持脚４ｃがそれぞれ一方の短側壁３ｃのポケット部５ｃと点対称位置になるように、設定してある。
【００１８】
上記のように容器本体１の側壁３に支持脚４及びポケット部５を設けて形成される運搬用容器を上下に複数段積み重ねるにあたって、上段と下段の容器本体１を同じ向きで重ねると、図６（ａ）（ｂ）に示すように、上段の容器本体１の各支持脚４ａ，４ｂ，４ｃは下段の容器本体１のフランジ２の上に載置され、下段の容器本体１内に上段の容器本体１の下部がはめ込まれないスタッキング状態で積み重ねることができる。このとき、上段の容器本体１の各支持脚４ａ，４ｂ，４ｃは下端が下段の容器本体１のフランジ２に形成した位置決め凹部１４に嵌まるので、位置ずれするおそれなく積み重ねることができるものである。また、上段の容器本体１を下段の容器本体１に対して水平に１８０度回し、長側壁３ａと長側壁３ｂが上下に対応すると共に短側壁３ｃと短側壁３ｄが上下に対応するように容器本体１，１を上下に配置した状態で重ねると、下段の容器本体１のポケット部５ａ，５ｂ，５ｃに上段の容器本体１の支持脚４ａ，４ｂ，４ｃがそれぞれ差し込まれ、図７（ａ）（ｂ）に示すように、下段の容器本体１内に上段の容器本体１の下部がはめ込まれたネスティング状態で嵩小さく積み重ねることができるものである。
【００１９】
そして上記のように形成される運搬用容器において、容器本体１の側壁３に複数設けられるポケット部５うち、一部のポケット部５の外面にカード差し部６を設けるようにしてある。図の実施の形態では、長側壁３ａのポケット部５ａの外面と、短側壁３ｃの一方のポケット部５ｃの外面にカード差し部６を設けるようにしてある。
【００２０】
各ポケット部５は、その外面がフランジ２及び下段フランジ１３の先端よりやや引っ込んだ程度の膨出寸法で側壁３に形成されているが、この長側壁３ａのポケット部５ａと短側壁３ｃの一方のポケット部５ｃ（以下これらをカード差し形成用ポケット部５という）の外面の両側端部と下端部にそれぞれ鍔片７が一体に延設してあり、この鍔片７の外面はフランジ２及び下段フランジ１３の先端面と面一になるように形成してある。そして図４に示すように、鍔片７のうち、カード差し形成用ポケット部５の両側端部の鍔片７ａは内方へ張り出して設けられていると共に、カード差し形成用ポケット部５の下端部の鍔片７ｂは上方へ張り出して設けられており、カード差し形成用ポケット部５の外面と鍔片７ａとの間に上方及び内側方へ開口するカード差込溝８が、カード差し形成用ポケット部５の外面と鍔片７ｂとの間に上方へ開口するカード差し込み溝８がそれぞれ形成されるようにしてあり、このように鍔片７を設けることによって、カード差し形成用ポケット部５に図４（ａ）（ｂ）に示すようなカード差し部６を形成することができるものである。
【００２１】
このカード差し部６にカード９を差し込んで取り付けるにあたっては、矩形に形成されるカード９の両側端縁を両側端部の鍔片７ａのカード差し込み溝８に上端の開口から挿入すると共にカード９の下端縁を下端部の鍔片７ｂのカード差し込み溝８に挿入することによって行なうことができるものであり、カード９の両側端縁と下端縁をカード差し込み溝８に係止して保持させた状態で、カード９の前面を鍔片７ａ，７ｂの先端縁間の開口部に露出させて、カード９に記載した事項を表示することができるものである。またカード差し部６からカード９を抜き出すときには、カード９を上方へ引き上げることによって行なうことができる。
【００２２】
このようにカード差し部６にカード９を出し入れするにあたって、カード差し部６は容器本体１の側壁３の外面に突出するポケット部５に設けてあり、しかもカード差し部６のカード差し込み溝８はフランジ２の上面で開口しているため、カード差し部６にカード９を出し入れするにあたって、側壁３の外面に突出する支持脚４やポケット部５が邪魔になったり、特にフランジ２が邪魔になったりすることがなくなり、カード９の出し入れの操作が容易になるものである。また、運搬用容器を上下に積み重ねるにあたって、スタッキング状態のときは勿論、ネスティング状態で積み重ねる際にも、図７（ａ）（ｂ）に示すように、カード差し部６を設けたポケット部５は下段の容器本体１の上方に位置しているものであって、カード差し部６がネスティング状態の積み重ねに支障になるようなことはないものである。
【００２３】
ここで、容器本体１を射出成形などで一体成形するにあたって、成形金型のカード差し部６を成形する凸型を上方へ抜くことによって、カード差し込み溝８の成形を行なうことができるものであり、カード差し込み溝８は上方へ開口する溝として形成されるものである。そして、容器本体１を洗浄水で洗浄した後に、乾かす際には、容器本体１内に洗浄水が溜まらないようにを容器本体１を上下逆向きにして行なうが、このように容器本体１を上下逆にすることによって、カード差し込み溝８の開口も下向きになり、カード差し込み溝８に洗浄水が溜まらないようにすることができる。従ってこの際にカード差し込み溝８に洗浄水が溜まらないようにカード差し込み溝８の溝底に排出用孔などを設けるような必要はなくなるものである。
【００２４】
上記の図４の実施の形態では、ポケット部５の下端部に設ける鍔片７ｂを、ポケット部５の幅方向の両側部に形成するようにして、幅方向の中央部が切欠部１６となるようにしたが、図５の実施の形態のように、ポケット部５の下端部の幅方向の中央部にのみ鍔片７ｂを形成して、その両側が切欠部１６となるようにしてもよい。
【図面の簡単な説明】
【００２５】
【図１】本発明の実施の形態の一例を示すものであり、（ａ）は正面図、（ｂ）は背面図である。
【図２】同上の、（ａ）は右側面図、（ｂ）は左側面図である。
【図３】同上の平面図である。
【図４】同上のカード差し部の箇所を示すものであり、（ａ）は斜視図、（ｂ）は断面図である。
【図５】同上の他の実施の形態におけるカード差し部の箇所の斜視図である。
【図６】同上のスタッキング状態を示す正面図である。
【図７】同上のネスティング状態を示す正面図である。
【符号の説明】
【００２６】
１  容器本体
２  フランジ
３  側壁
４  支持脚
５  ポケット部
６  カード差し部
７  鍔片
８  カード差し込み溝
９  カード
【図１】
2005067620.tif 000003
【図２】
2005067620.tif 000004
【図３】
2005067620.tif 000005
【図４】
2005067620.tif 000006
【図５】
2005067620.tif 000007
【図６】
2005067620.tif 000008
【図７】
2005067620.tif 000009